(57)【要約】本開示の様々な態様は、一般にワイヤレス通信に関する。いくつかの態様では、クローンの帯域幅部分構成情報を基地局（ＢＳ）が送信し得、ユーザ機器（ＵＥ）が受信し得る。いくつかの態様では、ＵＥは、プライマリ帯域幅部分とクローンの帯域幅部分との間にリンケージを決定し得る。いくつかの態様では、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージをＢＳが送信し得、ＵＥが受信し得る。いくつかの態様では、ＵＥは、ダウンリンク制御情報メッセージに少なくとも部分的に基づいて、帯域幅部分切り替えを実行し得る。数多くの他の態様が提供される。【選択図】図７Ａ
2021507647.tif 000002
【特許請求の範囲】
【請求項１】
基地局（ＢＳ）によって実行されるワイヤレス通信の方法であって、
プライマリ帯域幅部分のクローンの帯域幅部分についてのクローンの帯域幅部分構成情報を送信することと、
ここにおいて、前記クローンの帯域幅部分は、第１の方向に関連付けられ、前記プライマリ帯域幅部分に対応し、
ここにおいて、前記プライマリ帯域幅部分は、第２の方向の第１の帯域幅部分及び前記第２の方向の第２の帯域幅部分とペアになる、
前記プライマリ帯域幅部分及び前記第１の帯域幅部分のための帯域幅部分切り替えをシグナリングするために前記プライマリ帯域幅部分を識別する又は前記プライマリ帯域幅部分及び前記第２の帯域幅部分のための前記帯域幅部分切り替えをシグナリングするために前記クローンの帯域幅部分を識別するダウンリンク制御情報メッセージを送信することと
を備える、方法。
【請求項２】
前記クローンの帯域幅部分構成情報は、前記プライマリ帯域幅部分についての構成情報に対応する、請求項１に記載の方法。
【請求項３】
前記ＢＳは、無線リソース制御シグナリングを使用して前記クローンの帯域幅部分構成情報を送信するように構成される、請求項１に記載の方法。
【請求項４】
前記ＢＳは、ユーザ機器（ＵＥ）が前記プライマリ帯域幅部分と前記クローンの帯域幅部分との間にリンケージを決定することを可能にするために、前記ＵＥに前記クローンの帯域幅部分構成情報を送信するように構成される、請求項１に記載の方法。
【請求項５】
前記ＢＳは、前記ＵＥに前記プライマリ帯域幅部分と前記クローンの帯域幅部分との間のポインタとして前記リンケージを記憶させるために、前記クローンの帯域幅部分構成情報を送信するように構成される、請求項４に記載の方法。
【請求項６】
前記ＢＳは、前記第１の方向についてではなく前記第２の方向について前記帯域幅部分切り替えを引き起こすために、前記ダウンリンク制御情報メッセージを送信するように構成される、請求項１に記載の方法。
【請求項７】
前記ＢＳは、前記プライマリ帯域幅部分を識別するために、前記ダウンリンク制御情報メッセージを送信するように構成される、請求項１に記載の方法。
【請求項８】
前記ＢＳは、前記クローンの帯域幅部分を識別するために、前記ダウンリンク制御情報メッセージを送信するように構成される、請求項１に記載の方法。
【請求項９】
前記第１の方向は、アップリンク通信に関連付けられ、前記第２の方向は、ダウンリンク通信に関連付けられる、請求項１に記載の方法。
【請求項１０】
前記第１の方向は、ダウンリンク通信に関連付けられ、前記第２の方向は、アップリンク通信に関連付けられる、請求項１に記載の方法。
【請求項１１】
ユーザ機器（ＵＥ）によって実行されるワイヤレス通信の方法であって、
プライマリ帯域幅部分のクローンの帯域幅部分についてのクローンの帯域幅部分構成情報を受信することと、
ここにおいて、前記クローンの帯域幅部分は、第１の方向に関連付けられ、前記プライマリ帯域幅部分に対応し、
ここにおいて、前記プライマリ帯域幅部分は、第２の方向の第１の帯域幅部分及び前記第２の方向の第２の帯域幅部分とペアになる、
前記クローンの帯域幅部分構成情報に少なくとも部分的に基づいて、前記プライマリ帯域幅部分と前記クローンの帯域幅部分との間にリンケージを決定することと、
前記プライマリ帯域幅部分及び前記第１の帯域幅部分のための帯域幅部分切り替えをシグナリングするために前記プライマリ帯域幅部分を識別する又は前記プライマリ帯域幅部分及び前記第２の帯域幅部分のための前記帯域幅部分切り替えをシグナリングするために前記クローンの帯域幅部分を識別するダウンリンク制御情報メッセージを受信することと、
前記ダウンリンク制御情報メッセージに少なくとも部分的に基づいて、前記帯域幅部分切り替えを実行することと
を備える、方法。
【請求項１２】
前記クローンの帯域幅部分構成情報は、前記プライマリ帯域幅部分についての構成情報に対応する、請求項１１に記載の方法。
【請求項１３】
前記ＵＥは、無線リソース制御シグナリングを使用して前記クローンの帯域幅部分構成情報を受信する、請求項１１に記載の方法。
【請求項１４】
前記ＵＥは、前記プライマリ帯域幅部分と前記クローンの帯域幅部分との間のポインタとして前記リンケージを記憶するように構成される、請求項１１に記載の方法。
【請求項１５】
前記ＵＥは、前記第１の方向についてではなく前記第２の方向について前記帯域幅部分切り替えを実行するように構成される、請求項１１に記載の方法。
【請求項１６】
前記ダウンリンク制御情報メッセージは、前記プライマリ帯域幅部分を識別し、前記ＵＥは、前記プライマリ帯域幅部分及び前記第１の帯域幅部分のための前記帯域幅部分切り替えを実行するように構成される、請求項１１に記載の方法。
【請求項１７】
前記ダウンリンク制御情報メッセージは、前記クローンの帯域幅部分を識別し、前記ＵＥは、前記プライマリ帯域幅部分及び前記第２の帯域幅部分のための前記帯域幅部分切り替えを実行するように構成される、請求項１１に記載の方法。
【請求項１８】
前記第１の方向は、アップリンク通信に関連付けられ、前記第２の方向は、ダウンリンク通信に関連付けられる、請求項１１に記載の方法。
【請求項１９】
前記第１の方向は、ダウンリンク通信に関連付けられ、前記第２の方向は、アップリンク通信に関連付けられる、請求項１１に記載の方法。
【請求項２０】
ワイヤレス通信のための基地局（ＢＳ）であって、
メモリと、
前記メモリと動作可能に結合された１つ又は複数のプロセッサと
を備え、前記メモリ及び前記１つ又は複数のプロセッサは、
プライマリ帯域幅部分のクローンの帯域幅部分についてのクローンの帯域幅部分構成情報を送信することと、
ここにおいて、前記クローンの帯域幅部分は、第１の方向に関連付けられ、前記プライマリ帯域幅部分に対応し、
ここにおいて、前記プライマリ帯域幅部分は、第２の方向の第１の帯域幅部分及び前記第２の方向の第２の帯域幅部分とペアになる、
前記プライマリ帯域幅部分及び前記第１の帯域幅部分のための帯域幅部分切り替えをシグナリングするために前記プライマリ帯域幅部分を識別する又は前記プライマリ帯域幅部分及び前記第２の帯域幅部分のための前記帯域幅部分切り替えをシグナリングするために前記クローンの帯域幅部分を識別するダウンリンク制御情報メッセージを送信することと
を行うように構成される、ＢＳ。
【請求項２１】
前記クローンの帯域幅部分構成情報は、前記プライマリ帯域幅部分についての構成情報に対応する、請求項２０に記載のＢＳ。
【請求項２２】
前記ＢＳは、無線リソース制御シグナリングを使用して前記クローンの帯域幅部分構成情報を送信するように構成される、請求項２０に記載のＢＳ。
【請求項２３】
前記ＢＳは、ユーザ機器（ＵＥ）が前記プライマリ帯域幅部分と前記クローンの帯域幅部分との間にリンケージを決定することを可能にするために、前記ＵＥに前記クローンの帯域幅部分構成情報を送信するように構成される、請求項２０に記載のＢＳ。
【請求項２４】
前記ＢＳは、前記ＵＥに前記プライマリ帯域幅部分と前記クローンの帯域幅部分との間のポインタとして前記リンケージを記憶させるために、前記クローンの帯域幅部分構成情報を送信するように構成される、請求項２３に記載のＢＳ。
【請求項２５】
前記ＢＳは、前記第１の方向についてではなく前記第２の方向について前記帯域幅部分切り替えを引き起こすために、前記ダウンリンク制御情報メッセージを送信するように構成される、請求項２０に記載のＢＳ。
【請求項２６】
前記ＢＳは、前記プライマリ帯域幅部分を識別するために、前記ダウンリンク制御情報メッセージを送信するように構成される、請求項２０に記載のＢＳ。
【請求項２７】
前記ＢＳは、前記クローンの帯域幅部分を識別するために、前記ダウンリンク制御情報メッセージを送信するように構成される、請求項２０に記載のＢＳ。
【請求項２８】
前記第１の方向は、アップリンク通信に関連付けられ、前記第２の方向は、ダウンリンク通信に関連付けられる、請求項２０に記載のＢＳ。
【請求項２９】
前記第１の方向は、ダウンリンク通信に関連付けられ、前記第２の方向は、アップリンク通信に関連付けられる、請求項２０に記載のＢＳ。
【請求項３０】
ワイヤレス通信のためのユーザ機器（ＵＥ）であって、
メモリと、
前記メモリと動作可能に結合された１つ又は複数のプロセッサと
を備え、前記メモリ及び前記１つ又は複数のプロセッサは、
プライマリ帯域幅部分のクローンの帯域幅部分についてのクローンの帯域幅部分構成情報を受信することと、
ここにおいて、前記クローンの帯域幅部分は、第１の方向に関連付けられ、前記プライマリ帯域幅部分に対応し、
ここにおいて、前記プライマリ帯域幅部分は、第２の方向の第１の帯域幅部分及び前記第２の方向の第２の帯域幅部分とペアになる、
前記クローンの帯域幅部分構成情報に少なくとも部分的に基づいて、前記プライマリ帯域幅部分と前記クローンの帯域幅部分との間にリンケージを決定することと、
前記プライマリ帯域幅部分及び前記第１の帯域幅部分のための帯域幅部分切り替えをシグナリングするために前記プライマリ帯域幅部分を識別する又は前記プライマリ帯域幅部分及び前記第２の帯域幅部分のための前記帯域幅部分切り替えをシグナリングするために前記クローンの帯域幅部分を識別するダウンリンク制御情報メッセージを受信することと、
前記ダウンリンク制御情報メッセージに少なくとも部分的に基づいて、前記帯域幅部分切り替えを実行することと
を行うように構成される、ＵＥ。
【請求項３１】
前記クローンの帯域幅部分構成情報は、前記プライマリ帯域幅部分についての構成情報に対応する、請求項３０に記載のＵＥ。
【請求項３２】
前記ＵＥは、無線リソース制御シグナリングを使用して前記クローンの帯域幅部分構成情報を受信する、請求項３０に記載のＵＥ。
【請求項３３】
前記ＵＥは、前記プライマリ帯域幅部分と前記クローンの帯域幅部分との間のポインタとして前記リンケージを記憶するように構成される、請求項３０に記載のＵＥ。
【請求項３４】
前記ＵＥは、前記第１の方向についてではなく前記第２の方向について前記帯域幅部分切り替えを実行するように構成される、請求項３０に記載のＵＥ。
【請求項３５】
前記ダウンリンク制御情報メッセージは、前記プライマリ帯域幅部分を識別し、前記ＵＥは、前記プライマリ帯域幅部分及び前記第１の帯域幅部分のための前記帯域幅部分切り替えを実行するように構成される、請求項３０に記載のＵＥ。
【請求項３６】
前記ダウンリンク制御情報メッセージは、前記クローンの帯域幅部分を識別し、前記ＵＥは、前記プライマリ帯域幅部分及び前記第２の帯域幅部分のための前記帯域幅部分切り替えを実行するように構成される、請求項３０に記載のＵＥ。
【請求項３７】
前記第１の方向は、アップリンク通信に関連付けられ、前記第２の方向は、ダウンリンク通信に関連付けられる、請求項３０に記載のＵＥ。
【請求項３８】
前記第１の方向は、ダウンリンク通信に関連付けられ、前記第２の方向は、アップリンク通信に関連付けられる、請求項３０に記載のＵＥ。
【発明の詳細な説明】
【関連出願の相互参照】
【０００１】
[0001]本出願は、２０１８年１月２２日に出願され、「TECHNIQUES AND APPARATUSES FOR BANDWIDTH PART SWITCH MANAGEMENT」と題された米国仮特許出願第６２／６１９，９７８号、及び２０１９年１月３日に出願され、「BANDWIDTH PART SWITCH MANAGEMENT」と題された米国非仮特許出願第１６／２３９，１０２号の優先権を主張し、それらは、本明細書での参照により本明細書に明示的に組み込まれる。
【技術分野】
【０００２】
[0002]本開示の態様は、一般にワイヤレス通信に関し、より詳細には帯域幅部分切り替え管理のための技法及び装置に関する。
【背景技術】
【０００３】
[0003]ワイヤレス通信システムは、電話通信、ビデオ、データ、メッセージング、及びブロードキャストなどの様々な電気通信サービスを提供するために広く展開されている。典型的なワイヤレス通信システムは、利用可能なシステムリソース（例えば、帯域幅、送信電力、及び／又は同様のもの）を共有することによって複数のユーザとの通信をサポートすることが可能な多元接続技術を用い得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、及びロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイル電気通信システム（ＵＭＴＳ）のモバイル規格への拡張セットである。
【０００４】
[0004]ワイヤレス通信ネットワークは、いくつかのユーザ機器（ＵＥ）のための通信をサポートすることができるいくつかの基地局（ＢＳ）を含み得る。ユーザ機器（ＵＥ）は、ダウンリンク及びアップリンクを介して基地局（ＢＳ）と通信し得る。ダウンリンク（即ち順方向リンク）は、ＢＳからＵＥへの通信リンクを指し、アップリンク（即ち逆方向リンク）は、ＵＥからＢＳへの通信リンクを指す。本明細書でより詳細に説明されることになるように、ＢＳは、ノードＢ、ｇＮＢ、アクセスポイント（ＡＰ）、無線ヘッド、送受信ポイント（ＴＲＰ）、ニューラジオ（ＮＲ：new radio）ＢＳ、５ＧノードＢ、及び／又は同様のもので呼ばれ得る。
【０００５】
[0005]上記の多元接続技術は、異なるユーザ機器が、都市、国家、地域、更には地球規模で通信することを可能にする共通プロトコルを提供するために、様々な電気通信規格において採用されてきた。５Ｇとも呼ばれ得るニューラジオ（ＮＲ）は、第３世代パートナーシッププロジェクト（３ＧＰＰ）によって公表されたＬＴＥモバイル規格への拡張セットである。ＮＲは、スペクトル効率を改善し、コストを下げ、サービスを改善し、新しいスペクトルを利用し、ダウンリンク（ＤＬ）上でサイクリックプレフィックス（ＣＰ）を伴う直交周波数分割多重化（ＯＦＤＭ）（ＣＰ−ＯＦＤＭ）を使用して、アップリンク（ＵＬ）上でＣＰ−ＯＦＤＭ及び／又はＳＣ−ＦＤＭ（例えば、離散フーリエ変換拡散ＯＦＤＭ（ＤＦＴ−ｓ−ＯＦＤＭ）としても知られる）を使用して、他のオープン規格とより良く統合することによって、モバイルブロードバンドインターネットアクセスをより良くサポートし、並びにビームフォーミング、多入力多出力（ＭＩＭＯ）アンテナ技術、及びキャリアアグリゲーションをサポートするように設計される。しかしながら、モバイルブロードバンドアクセスに対する需要が増大し続けるにつれて、ＬＴＥ及びＮＲ技術における更なる改善の必要性が存在する。好ましくは、これらの改善は、他の多元接続技術及びこれらの技術を用いる電気通信規格に適用可能であるべきである。
【発明の概要】
【０００６】
[0006]いくつかの態様では、ワイヤレス通信の方法は、プライマリ帯域幅部分のクローンの帯域幅部分についてのクローンの帯域幅部分構成情報を送信することを含み得、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる。方法は、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを送信することを含み得る。
【０００７】
[0007]いくつかの態様では、ワイヤレス通信のための基地局は、メモリと、メモリに動作可能に結合された１つ又は複数のプロセッサとを含み得る。メモリ及び１つ又は複数のプロセッサは、プライマリ帯域幅部分のクローンの帯域幅部分についてのクローンの帯域幅部分構成情報を送信することを行うように構成され得、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる。メモリ及び１つ又は複数のプロセッサは、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを送信することを行うように構成され得る。
【０００８】
[0008]いくつかの態様では、非一時的コンピュータ可読媒体は、ワイヤレス通信のための１つ又は複数の命令を記憶し得る。１つ又は複数の命令は、基地局の１つ又は複数のプロセッサによって実行されると、１つ又は複数のプロセッサに、プライマリ帯域幅部分のクローンの帯域幅部分についてのクローンの帯域幅部分構成情報を送信することを行わせ得、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる。１つ又は複数の命令は、基地局の１つ又は複数のプロセッサによって実行されると、１つ又は複数のプロセッサに、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを送信することを行わせ得る。
【０００９】
[0009]いくつかの態様では、ワイヤレス通信のための装置は、プライマリ帯域幅部分のクローンの帯域幅部分についてのクローンの帯域幅部分構成情報を送信するための手段を含み得、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる。装置は、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを送信するための手段を含み得る。
【００１０】
[0010]いくつかの態様では、ワイヤレス通信の方法は、プライマリ帯域幅部分のクローンの帯域幅部分についてのクローンの帯域幅部分構成情報を受信することを含み得、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる。方法は、クローンの帯域幅部分構成情報に少なくとも部分的に基づいて、プライマリ帯域幅部分とクローンの帯域幅部分との間にリンケージを決定することを含み得る。方法は、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを受信することを含み得る。方法は、ダウンリンク制御情報メッセージに少なくとも部分的に基づいて帯域幅部分切り替えを実行することを含み得る。
【００１１】
[0011]いくつかの態様では、ワイヤレス通信のためのユーザ機器は、メモリと、メモリに動作可能に結合された１つ又は複数のプロセッサとを含み得る。メモリ及び１つ又は複数のプロセッサは、プライマリ帯域幅部分のクローンの帯域幅部分についてのクローンの帯域幅部分構成情報を受信することを行うように構成され得、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる。メモリ及び１つ又は複数のプロセッサは、クローンの帯域幅部分構成情報に少なくとも部分的に基づいて、プライマリ帯域幅部分とクローンの帯域幅部分との間にリンケージを決定することを行うように構成され得る。メモリ及び１つ又は複数のプロセッサは、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを受信することを行うように構成され得る。メモリ及び１つ又は複数のプロセッサは、ダウンリンク制御情報メッセージに少なくとも部分的に基づいて帯域幅部分切り替えを実行することを行うように構成され得る。
【００１２】
[0012]いくつかの態様では、非一時的コンピュータ可読媒体は、ワイヤレス通信のための１つ又は複数の命令を記憶し得る。１つ又は複数の命令は、ユーザ機器の１つ又は複数のプロセッサによって実行されると、１つ又は複数のプロセッサに、プライマリ帯域幅部分のクローンの帯域幅部分についてのクローンの帯域幅部分構成情報を受信することを行わせ得、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる。１つ又は複数の命令は、ユーザ機器の１つ又は複数のプロセッサによって実行されると、１つ又は複数のプロセッサに、クローンの帯域幅部分構成情報に少なくとも部分的に基づいて、プライマリ帯域幅部分とクローンの帯域幅部分との間にリンケージを決定することを行わせ得る。１つ又は複数の命令は、ユーザ機器の１つ又は複数のプロセッサによって実行されると、１つ又は複数のプロセッサに、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを受信することを行わせ得る。１つ又は複数の命令は、ユーザ機器の１つ又は複数のプロセッサによって実行されると、１つ又は複数のプロセッサに、ダウンリンク制御情報メッセージに少なくとも部分的に基づいて帯域幅部分切り替えを実行することを行わせ得る。
【００１３】
[0013]いくつかの態様では、ワイヤレス通信のための装置は、プライマリ帯域幅部分のクローンの帯域幅部分についてのクローンの帯域幅部分構成情報を受信するための手段を含み得、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる。装置は、クローンの帯域幅部分構成情報に少なくとも部分的に基づいて、プライマリ帯域幅部分とクローンの帯域幅部分との間にリンケージを決定するための手段を含み得る。装置は、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを受信するための手段を含み得る。装置は、ダウンリンク制御情報メッセージに少なくとも部分的に基づいて帯域幅部分切り替えを実行するための手段を含み得る。
【００１４】
[0014]態様は一般に、添付の図面及び明細書を参照して本明細書で実質的に説明され、それらによって例示される、方法、装置、システム、コンピュータプログラム製品、非一時的コンピュータ可読媒体、基地局、ユーザ機器、ワイヤレス通信デバイス、及び処理システムを含む。
【００１５】
[0015]前述は、以下の詳細な説明がより良く理解され得るように、本開示に従った例の特徴及び技術的利点をどちらかといえば広く概説している。追加の特徴及び利点が以下に説明されることになる。開示される概念及び特定の例は、本開示と同じ目的を実行するための他の構造を修正又は設計するための基礎として容易に利用され得る。そのような等価な構造は、添付された特許請求の範囲から逸脱しない。本明細書で開示される概念の特性は、それらの編成及び動作の方法の両方が、関連する利点と共に、添付の図面に関連して検討されたときに以下の説明からより良く理解されるであろう。図面の各々は、例示及び説明を目的として提供され、特許請求の範囲の限定の定義としては提供されない。
【００１６】
[0016]本開示の上記された特徴が詳細に理解されることができるように、上記に簡潔に要約されたより具体的な説明が、態様への参照によってなされ得、それらのうちのいくつかが、添付された図面に例示される。しかしながら、添付された図面は、この開示のある特定の典型的な態様のみを例示しており、従って、その説明が他の同等に効果的な態様を認め得ることから、その範囲を限定していると見なされるべきではないことに留意されたい。異なる図面における同じ参照番号は、同じ又は同様の要素を識別し得る。
【図面の簡単な説明】
【００１７】
【図１】[0017]本開示の様々な態様による、ワイヤレス通信ネットワークの例を概念的に例示するブロック図である。
【図２】[0018]本開示の様々な態様による、ワイヤレス通信ネットワーク中のユーザ機器（ＵＥ）と通信状態にある基地局の例を概念的に例示するブロック図である。
【図３Ａ】[0019]本開示の様々な態様による、ワイヤレス通信ネットワーク中のフレーム構造の例を概念的に例示するブロック図である。
【図３Ｂ】[0020]本開示の様々な態様による、ワイヤレス通信ネットワーク中の実例的な同期通信階層を概念的に例示するブロック図である。
【図４】[0021]本開示の様々な態様による、通常のサイクリックプレフィックスを有する実例的なサブフレームフォーマットを概念的に例示するブロック図である。
【図５】[0022]本開示の様々な態様による、分散型無線アクセスネットワーク（ＲＡＮ）の実例的な論理アーキテクチャを例示する。
【図６】[0023]本開示の様々な態様による、分散型ＲＡＮの実例的な物理アーキテクチャを例示する。
【図７Ａ】[0024]本開示の様々な態様による、帯域幅部分切り替え管理の例を例示する図である。
【図７Ｂ】本開示の様々な態様による、帯域幅部分切り替え管理の例を例示する図である。
【図７Ｃ】本開示の様々な態様による、帯域幅部分切り替え管理の例を例示する図である。
【図８】[0025]本開示の様々な態様による、例えば、基地局によって実行される実例的なプロセスを例示する図である。
【図９】[0026]本開示の様々な態様による、例えば、ユーザ機器によって実行される実例的なプロセスを例示する図である。
【詳細な説明】
【００１８】
[0027]本開示の様々な態様は、添付の図面を参照して以下により十分に説明される。この開示は、しかしながら、多くの異なる形態で具現化され得、この開示全体を通じて提示される任意の特定の構造又は機能に限定されると解釈されるべきではない。むしろ、これらの態様は、この開示が徹底的且つ完全となり、当業者に本開示の範囲を十分に伝達するように提供される。本明細書での教示に少なくとも部分的に基づいて、当業者は、本開示の任意の他の態様とは独立してインプリメントされるか、又は組み合わされてインプリメントされるかにかかわらず、本開示の範囲が本明細書で開示される開示の任意の態様をカバーすることを意図されることを認識すべきである。例えば、本明細書で記載される任意の数の態様を使用して、装置がインプリメントされ得るか、又は方法が実施され得る。加えて、本開示の範囲は、本明細書で記載される開示の様々な態様に加えて、又はそれ以外の、他の構造、機能、又は構造及び機能を使用して実施されるそのような装置又は方法をカバーすることを意図されている。本明細書で開示される開示の任意の態様が特許請求の範囲の１つ又は複数の要素によって具現化され得ることは理解されるべきである。
【００１９】
[0028]ここで、電気通信システムのいくつかの態様が、様々な装置及び技法を参照して提示されることになる。これらの装置及び方法は、以下の詳細な説明において説明され、様々なブロック、モジュール、コンポーネント、回路、ステップ、プロセス、アルゴリズム、及び／又は同様のもの（一括して「要素」と呼ばれる）によって添付の図面において例示されることになる。これらの要素は、ハードウェア、ソフトウェア、又はそれらの組み合わせを使用してインプリメントされ得る。そのような要素がハードウェアとしてインプリメントされるか、又はソフトウェアとしてインプリメントされるかは、特定のアプリケーションとシステム全体上に課せられる設計制約とに依存する。
【００２０】
[0029]態様は、３Ｇ及び／又は４Ｇワイヤレス技術に共通して関連付けられた専門用語を使用して本明細書で説明され得るが、本開示の態様は、ＮＲ技術を含む、５Ｇ以降などの他の世代ベースの通信システム中で適用されることができることに留意されたい。
【００２１】
[0030]図１は、本開示の態様が実施され得るネットワーク１００を例示する図である。ネットワーク１００は、ＬＴＥネットワーク又は５Ｇ若しくはＮＲネットワークなどの何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、及びＢＳ１１０ｄとして示される）及び他のネットワークエンティティを含み得る。ＢＳは、ユーザ機器（ＵＥ）と通信するエンティティであり、基地局、ＮＲ ＢＳ、ノードＢ、ｇＮＢ、５ＧノードＢ（ＮＢ）、アクセスポイント、送受信ポイント（ＴＲＰ）、及び／又は同様のものでも呼ばれ得る。各ＢＳは、特定の地理的エリアに通信カバレッジを提供し得る。３ＧＰＰでは、「セル」という用語は、この用語が使用されるコンテキストに応じて、ＢＳのカバレッジエリア及び／又はこのカバレッジエリアにサービングするＢＳサブシステムを指すことができる。
【００２２】
[0031]ＢＳは、マクロセル、ピコセル、フェムトセル、及び／又は別のタイプのセルに通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、自宅）をカバーし得、フェムトセルとのアソシエーションを有するＵＥ（例えば、限定加入者グループ（ＣＳＧ：closed subscriber group）中のＵＥ）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳ又はホームＢＳと呼ばれ得る。図１に示される例では、ＢＳ１１０ａは、マクロセル１０２ａのためのマクロＢＳであり得、ＢＳ１１０ｂは、ピコセル１０２ｂのためのピコＢＳであり得、ＢＳ１１０ｃは、フェムトセル１０２ｃのためのフェムトＢＳであり得る。ＢＳは、１つ又は複数の（例えば、３つの）セルをサポートし得る。「ｅＮＢ」、「基地局」、「ＮＲ ＢＳ」、「ｇＮＢ」、「ＴＲＰ」、「ＡＰ」、「ノードＢ」、「５Ｇ ＮＢ」、及び「セル」という用語は、本明細書では交換可能に使用され得る。
【００２３】
[0032]いくつかの態様では、セルは、必ずしも固定式ではないことがあり、セルの地理的エリアは、移動式ＢＳのロケーションに従って移動し得る。いくつかの態様では、ＢＳは、任意の適したトランスポートネットワークを使用して、直接物理接続、仮想ネットワーク、及び／又は同様のものなど、様々なタイプのバックホールインターフェースを通じて、アクセスネットワーク１００中で互いに及び／又は１つ又は複数の他のＢＳ又はネットワークノード（図示せず）に相互接続され得る。
【００２４】
[0033]ワイヤレスネットワーク１００はまた、中継局を含み得る。中継局は、アップストリーム局（例えば、ＢＳ又はＵＥ）からのデータの送信を受信し、ダウンストリーム局（例えば、ＵＥ又はＢＳ）へのデータの送信を送ることができるエンティティである。中継局はまた、他のＵＥのための送信を中継することができるＵＥであり得る。図１に示される例では、中継局１１０ｄは、ＢＳ１１０ａとＵＥ１２０ｄとの間の通信を容易にするために、マクロＢＳ１１０ａ及びＵＥ１２０ｄと通信し得る。中継局はまた、中継ＢＳ、中継基地局、中継器、及び／又は同様のもので呼ばれ得る。
【００２５】
[0034]ワイヤレスネットワーク１００は、異なるタイプのＢＳ、例えば、マクロＢＳ、ピコＢＳ、フェムトＢＳ、中継ＢＳ、及び／又は同様のものを含む異種ネットワークであり得る。これらの異なるタイプのＢＳは、ワイヤレスネットワーク１００中で、異なる送信電力レベル、異なるカバレッジエリア、及び干渉に対する異なる影響を有し得る。例えば、マクロＢＳは、高い送信電力レベル（例えば、５〜４０ワット）を有し得、その一方で、ピコＢＳ、フェムトＢＳ、及び中継ＢＳは、より低い送信電力レベル（例えば、０．１〜２ワット）を有し得る。
【００２６】
[0035]ネットワークコントローラ１３０は、ＢＳのセットに結合し、これらのＢＳに協調及び制御を提供し得る。ネットワークコントローラ１３０は、バックホールを介してＢＳと通信し得る。ＢＳはまた、例えば、ワイヤレス又はワイヤラインバックホールを介して直接又は間接的に、互いと通信し得る。
【００２７】
[0036]ＵＥ１２０（例えば、１２０ａ、１２０ｂ、１２０ｃ）は、ワイヤレスネットワーク１００全体を通じて分散され得、各ＵＥは、固定式又は移動式であり得る。ＵＥはまた、アクセス端末、端末、モバイル局、加入者ユニット、局、及び／又は同様のもので呼ばれ得る。ＵＥは、セルラ電話（例えば、スマートフォン）、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、カメラ、ゲーミングデバイス、ネットブック、スマートブック、ウルトラブック、医療デバイス若しくは医療機器、生体センサ／デバイス、ウェアラブルデバイス（スマートウォッチ、スマート衣料、スマートグラス、スマートリストバンド、スマートジュエリ（例えば、スマートリング、スマートブレスレット））、エンターテインメントデバイス（例えば、音楽若しくはビデオデバイス、又は衛星ラジオ）、ビークルコンポーネント若しくはセンサ、スマートメータ／センサ、工業製造機器、全地球測位システムデバイス、又はワイヤレス若しくはワイヤード媒体を介して通信するように構成された任意の他の適したデバイスであり得る。
【００２８】
[0037]いくつかのＵＥは、マシンタイプ通信（ＭＴＣ）又は発展型若しくは拡張マシンタイプ通信（ｅＭＴＣ）ＵＥと見なされ得る。ＭＴＣ ＵＥ及びｅＭＴＣ ＵＥは、基地局、別のデバイス（例えば、遠隔デバイス）、又は何らかの他のエンティティと通信し得る、例えば、ロボット、ドローン、遠隔デバイス、センサ、メータ、モニタ、ロケーションタグ、及び／又は同様のものを含む。ワイヤレスノードは、例えば、ワイヤード又はワイヤレス通信リンクを介して、ネットワーク（例えば、セルラネットワーク又はインターネットなどのワイドエリアネットワーク）のための、又はそれへの接続性を提供し得る。いくつかのＵＥは、モノのインターネット（ＩｏＴ）デバイスと見なされ得る、及び／又はＮＢ−ＩｏＴ（ナローバンドモノのインターネット）デバイスとしてインプリメントされ得るようにインプリメントされ得る。いくつかのＵＥは、顧客構内機器（ＣＰＥ：Customer Premises Equipment）と見なされ得る。ＵＥ１２０は、プロセッサコンポーネント、メモリコンポーネント、及び／又は同様のものなどの、ＵＥ１２０のコンポーネントを収容するハウジング内部に含まれ得る。
【００２９】
[0038]一般に、任意の数のワイヤレスネットワークが、所与の地理的エリア中に展開され得る。各ワイヤレスネットワークは、特定のＲＡＴをサポートし得、１つ又は複数の周波数上で動作し得る。ＲＡＴはまた、無線技術、エアインターフェース、及び／又は同様のもので呼ばれ得る。周波数はまた、キャリア、周波数チャネル、及び／又は同様のもので呼ばれ得る。各周波数は、異なるＲＡＴのワイヤレスネットワーク間の干渉を避けるために、所与の地理的エリア中で単一のＲＡＴをサポートし得る。いくつかのケースでは、ＮＲ又は５Ｇ ＲＡＴネットワークが展開され得る。
【００３０】
[0039]いくつかの態様では、（例えば、ＵＥ１２０ａ及びＵＥ１２０ｅとして示される）２つ以上のＵＥ１２０が、（例えば、互いに通信するための媒介として基地局１１０を使用することなく）１つ又は複数のサイドリンクチャネルを使用して直接通信し得る。例えば、ＵＥ１２０は、ピアツーピア（Ｐ２Ｐ）通信、デバイスツーデバイス（Ｄ２Ｄ）通信、ビークルツーエブリシング（Ｖ２Ｘ）プロトコル（例えば、それは、ビークルツービークル（Ｖ２Ｖ）プロトコル、ビークルツーインフラストラクチャ（Ｖ２Ｉ）プロトコル、及び／又は同様のものを含み得る）、メッシュネットワーク、及び／又は同様のものを使用して通信し得る。このケースでは、ＵＥ１２０は、スケジューリング動作、リソース選択動作、及び／又は基地局１１０によって実行されるものとして本明細書の他の箇所で説明される他の動作を実行し得る。
【００３１】
[0040]上述されたように、図１は、単に例として提供される。他の例は、図１に関して説明されたものとは異なり得る。
【００３２】
[0041]図２は、図１の基地局のうちの１つ及びＵＥのうちの１つであり得る、基地局１１０及びＵＥ１２０の設計２００のブロック図を示す。基地局１１０は、Ｔ個のアンテナ２３４ａ〜２３４ｔを装備され得、ＵＥ１２０は、Ｒ個のアンテナ２５２ａ〜２５２ｒを装備され得、ここで、一般に、Ｔ≧１及びＲ≧１である。
【００３３】
[0042]基地局１１０において、送信プロセッサ２２０は、１つ又は複数のＵＥのためにデータソース２１２からデータを受信し、ＵＥから受信されたチャネル品質インジケータ（ＣＱＩ）に少なくとも部分的に基づいて、各ＵＥのために１つ又は複数の変調及びコーディング方式（ＭＣＳ）を選択し、ＵＥのために選択されたＭＣＳに少なくとも部分的に基づいて、各ＵＥのためのデータを処理（例えば、符号化及び変調）し、全てのＵＥにデータシンボルを提供し得る。送信プロセッサ２２０はまた、（例えば、半静的リソース区分化情報（ＳＲＰＩ：semi-static resource partitioning information）、及び／又は同様のものについての）システム情報と、制御情報（例えば、ＣＱＩ要求、許可、上位レイヤシグナリング、及び／又は同様のもの）とを処理し、オーバヘッドシンボル及び制御シンボルを提供し得る。送信プロセッサ２２０はまた、基準信号（例えば、セル固有基準信号（ＣＲＳ））及び同期信号（例えば、プライマリ同期信号（ＰＳＳ）及びセカンダリ同期信号（ＳＳＳ））のための基準シンボルを生成し得る。送信（ＴＸ）多入力多出力（ＭＩＭＯ）プロセッサ２３０は、適用可能な場合に、データシンボル、制御シンボル、オーバヘッドシンボル、及び／又は基準シンボルに対して空間処理（例えば、プリコーディング）を実行し得、Ｔ個の変調器（ＭＯＤ）２３２ａ〜２３２ｔにＴ個の出力シンボルストリームを提供し得る。各変調器２３２は、出力サンプルストリームを取得するために（例えば、ＯＦＤＭ、及び／又は同様のもののために）それぞれの出力シンボルストリームを処理し得る。各変調器２３２は更に、出力サンプルストリームを処理（例えば、アナログに変換、増幅、フィルタリング、及びアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。以下でより詳細に説明される様々な態様によると、同期信号は、追加の情報を伝達するためにロケーション符号化を用いて生成されることができる。
【００３４】
[0043]ＵＥ１２０において、アンテナ２５２ａ〜２５２ｒは、基地局１１０及び／又は他の基地局からダウンリンク信号を受信し得、受信された信号をそれぞれ復調器（ＤＥＭＯＤ）２５４ａ〜２５４ｒに提供し得る。各復調器２５４は、受信された信号を調整（例えば、フィルタリング、増幅、ダウンコンバート、及びデジタル化）して、入力サンプルを取得し得る。各復調器２５４は、（例えば、ＯＦＤＭ、及び／又は同様のものために）入力サンプルを更に処理して、受信されたシンボルを取得し得る。ＭＩＭＯ検出器２５６は、全てのＲ個の復調器２５４ａ〜２５４ｒから受信されたシンボルを取得し、適用可能な場合、受信されたシンボルに対してＭＩＭＯ検出を実行して、検出されたシンボルを提供し得る。受信プロセッサ２５８は、検出されたシンボルを処理（例えば、復調及び復号）し、データシンク２６０にＵＥ１２０のための復号されたデータを提供して、コントローラ／プロセッサ２８０に復号された制御情報及びシステム情報を提供し得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）、及び／又は同様のものを決定し得る。
【００３５】
[0044]アップリンク上では、ＵＥ１２０において、送信プロセッサ２６４が、データソース２６２からのデータ及びコントローラ／プロセッサ２８０からの（例えば、ＲＳＲＰ、ＲＳＳＩ、ＲＳＲＱ、ＣＱＩ、及び／又は同様のものを備えるレポートのための）制御情報を受信及び処理し得る。送信プロセッサ２６４はまた、１つ又は複数の基準信号のための基準シンボルを生成し得る。送信プロセッサ２６４からのシンボルは、適用可能な場合に、ＴＸ ＭＩＭＯプロセッサ２６６によってプリコーディングされ、（例えば、ＤＦＴ−ｓ−ＯＦＤＭ、ＣＰ−ＯＦＤＭ、及び同様のもののために）変調器２５４ａ〜２５４ｒによって更に処理されて、基地局１１０に送信され得る。基地局１１０において、ＵＥ１２０及び他のＵＥからのアップリンク信号は、アンテナ２３４によって受信され、復調器２３２によって処理され、適用可能な場合に、ＭＩＭＯ検出器２３６によって検出され、受信プロセッサ２３８によって更に処理されて、ＵＥ１２０によって送られた復号されたデータ及び制御情報が取得され得る。受信プロセッサ２３８は、復号されたデータをデータシンク２３９に提供し、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、及びメモリ２９２を含み得る。
【００３６】
[0045]いくつかの態様では、ＵＥ１２０の１つ又は複数のコンポーネントは、ハウジング中に含まれ得る。基地局１１０のコントローラ／プロセッサ２４０、ＵＥ１２０のコントローラ／プロセッサ２８０、及び／又は図２の任意の他のコンポーネント（１つ以上）は、本明細書の他の箇所でより詳細に説明されるように、帯域幅部分切り替え管理に関連付けられた１つ又は複数の技法を実行し得る。例えば、基地局１１０のコントローラ／プロセッサ２４０、ＵＥ１２０のコントローラ／プロセッサ２８０、及び／又は図２の任意の他のコンポーネント（１つ以上）は、例えば、図８のプロセス８００、図９のプロセス９００、及び／又は本明細書で説明される他のプロセスの動作を実行又は指示し得る。メモリ２４２及び２８２は、それぞれ基地局１１０及びＵＥ１２０のためのデータ及びプログラムコードを記憶し得る。スケジューラ２４６は、ダウンリンク及び／又はアップリンク上でのデータ送信のためにＵＥをスケジューリングし得る。
【００３７】
[0046]いくつかの態様では、ＵＥ１２０は、プライマリ帯域幅部分のクローンの帯域幅部分についてのクローンの帯域幅部分構成情報を受信するための手段、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる、  クローンの帯域幅部分構成情報に少なくとも部分的に基づいて、プライマリ帯域幅部分とクローンの帯域幅部分との間にリンケージを決定するための手段、  プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを受信するための手段、ダウンリンク制御情報メッセージに少なくとも部分的に基づいて、帯域幅部分切り替えを実行するための手段、  及び／又は同様のものを含み得る。いくつかの態様では、そのような手段は、図２に関連して説明されたＵＥ１２０の１つ又は複数のコンポーネントを含み得る。
【００３８】
[0047]いくつかの態様では、基地局１１０は、プライマリ帯域幅部分のクローンの帯域幅部分についてのクローンの帯域幅部分構成情報を送信するための手段、ここにおいて、クローンの帯域幅部分は、第１の方向に関連付けられ、プライマリ帯域幅部分に対応し、ここにおいて、プライマリ帯域幅部分は、第２の方向の第１の帯域幅部分及び第２の方向の第２の帯域幅部分とペアになる、  プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを送信するための手段、及び／又は同様のものを含み得る。いくつかの態様では、そのような手段は、図２に関連して説明された基地局１１０の１つ又は複数のコンポーネントを含み得る。
【００３９】
[0048]上述されたように、図２は、単に例として提供される。他の例は、図２に関して説明されたものとは異なり得る。
【００４０】
[0049]図３Ａは、電気通信システム（例えば、ＮＲ）中のＦＤＤのための実例的なフレーム構造３００を示す。ダウンリンク及びアップリンクの各々のための送信タイムラインは、無線フレームの単位に区分され得る。各無線フレームは、所定の持続時間を有し得、（例えば、０〜Ｚ−１のインデックスを有する）Ｚ（Ｚ≧１）個のサブフレームのセットへの区分であり得る。各サブフレームは、スロットのセットを含み得る（例えば、サブフレーム当たり２つのスロットが図３Ａに示されている）。各スロットは、Ｌ個のシンボル期間のセットを含み得る。例えば、各スロットは、（例えば、図３Ａに示されるように）７つのシンボル期間、１５個のシンボル期間、及び／又は同様のものを含み得る。サブフレームが２つのスロットを含むケースでは、サブフレームは、２Ｌ個のシンボル期間を含み得、ここで、各サブフレーム中の２Ｌ個のシンボル期間は、０〜２Ｌ−１のインデックスを割り当てられ得る。いくつかの態様では、ＦＤＤのためのスケジューリング単位は、フレームベース、サブフレームベース、スロットベース、シンボルベース、及び／又は同様のものであり得る。
【００４１】
[0050]いくつかの技法が、フレーム、サブフレーム、スロット、及び／又は同様のものに関連して本明細書で説明されるが、これらの技法は、５Ｇ ＮＲにおける「フレーム」、「サブフレーム」、「スロット」、及び／又は同様のもの以外の用語を使用して呼ばれ得る、他のタイプのワイヤレス通信構造に等しく適用され得る。いくつかの態様では、ワイヤレス通信構造は、ワイヤレス通信規格及び／又はプロトコルによって定義された周期的時間有界通信単位（a periodic time-bounded communication unit）を指し得る。加えて又は代替として、図３Ａに示されるものとは異なる構成のワイヤレス通信構造が使用され得る。
【００４２】
[0051]ある特定の電気通信（例えば、ＮＲ）では、基地局は、同期信号を送信し得る。例えば、基地局は、基地局によってサポートされるセルごとにダウンリンク上でプライマリ同期信号（ＰＳＳ）、セカンダリ同期信号（ＳＳＳ）、及び／又は同様のものを送信し得る。ＰＳＳ及びＳＳＳは、セル探索及び獲得のためにＵＥによって使用され得る。例えば、ＰＳＳは、シンボルタイミングを決定するためにＵＥによって使用され得、ＳＳＳは、基地局に関連付けられた物理セル識別子と、フレームタイミングとを決定するためにＵＥによって使用され得る。基地局はまた、物理ブロードキャストチャネル（ＰＢＣＨ）を送信し得る。ＰＢＣＨは、ＵＥによる初期アクセスをサポートするシステム情報などの、何らかのシステム情報を搬送し得る。
【００４３】
[0052]いくつかの態様では、基地局は、図３Ｂに関連して以下に説明されるように、複数の同期通信（例えば、同期信号（ＳＳ）ブロック）を含む同期通信階層（例えば、ＳＳ階層）に従って、ＰＳＳ、ＳＳＳ、及び／又はＰＢＣＨを送信し得る。
【００４４】
[0053]図３Ｂは、同期通信階層の一例である、実例的なＳＳ階層を概念的に例示するブロック図である。図３Ｂに示されるように、ＳＳ階層は、ＳＳバーストセットを含み得、それは、複数のＳＳバースト（ＳＳバースト０からＳＳバーストＢ−１として識別され、ここで、Ｂは、基地局によって送信され得るＳＳバーストの最大反復数である）を含み得る。更に示されるように、各ＳＳバーストは、１つ又は複数のＳＳブロック（ＳＳブロック０からＳＳブロック（ｂmax_SS-1）として識別され、ここで、ｂmax_SS-1は、ＳＳバーストによって搬送されることができるＳＳブロックの最大数である）を含み得る。いくつかの態様では、異なるＳＳブロックは、異なるようにビーム形成され得る。ＳＳバーストセットは、図３Ｂに示されるように、Ｘミリ秒ごとなど、ワイヤレスノードによって周期的に送信され得る。いくつかの態様では、ＳＳバーストセットは、図３ＢにおいてＹミリ秒として示される固定又は動的な長さを有し得る。
【００４５】
[0054]図３Ｂに示されるＳＳバーストセットは、同期通信セットの一例であり、本明細書で説明される技法に関連して他の同期通信セットが使用され得る。更に、図３Ｂに示されるＳＳブロックは、同期通信の一例であり、本明細書で説明される技法に関連して他の同期通信が使用され得る。
【００４６】
[0055]いくつかの態様では、ＳＳブロックは、ＰＳＳ、ＳＳＳ、ＰＢＣＨ、及び／又は他の同期信号（例えば、３次同期信号（ＴＳＳ））及び／又は同期チャネルを搬送するリソースを含む。いくつかの態様では、複数のＳＳブロックが、ＳＳバースト中に含まれ、ＰＳＳ、ＳＳＳ、及び／又はＰＢＣＨは、ＳＳバーストの各ＳＳブロックにわたって同じであり得る。いくつかの態様では、単一のＳＳブロックが、ＳＳバースト中に含まれ得る。いくつかの態様では、ＳＳブロックは、長さが少なくとも４つのシンボル期間であり得、ここで、各シンボルは、ＰＳＳ（例えば、１つのシンボルを占有する）、ＳＳＳ（例えば、１つのシンボルを占有する）、及び／又はＰＢＣＨ（例えば、２つのシンボルを占有する）のうちの１つ又は複数を搬送する。
【００４７】
[0056]いくつかの態様では、図３Ｂに示されるように、ＳＳブロックのシンボルは連続している。いくつかの態様では、ＳＳブロックのシンボルは非連続である。同様に、いくつかの態様では、ＳＳバーストの１つ又は複数のＳＳブロックは、１つ又は複数のサブフレーム中に連続する無線リソース（例えば、連続するシンボル期間）中で送信され得る。加えて又は代替として、ＳＳバーストの１つ又は複数のＳＳブロックは、非連続無線リソース中で送信され得る。
【００４８】
[0057]いくつかの態様では、ＳＳバーストは、バースト期間を有し得、それによって、ＳＳバーストのＳＳブロックは、バースト期間に従って基地局によって送信される。言い換えれば、ＳＳブロックは、各ＳＳバースト中に繰り返され得る。いくつかの態様では、ＳＳバーストセットは、バーストセット周期性を有し得、それによって、ＳＳバーストセットのＳＳバーストは、固定バーストセット周期性に従って基地局によって送信される。言い換えれば、ＳＳバーストは、各ＳＳバーストセット中に繰り返され得る。
【００４９】
[0058]基地局は、ある特定のサブフレーム中に物理ダウンリンク共有チャネル（ＰＤＳＣＨ）上でシステム情報ブロック（ＳＩＢ）などのシステム情報を送信し得る。基地局は、サブフレームのＣ個のシンボル期間中に物理ダウンリンク制御チャネル（ＰＤＣＣＨ）上で制御情報／データを送信し得、ここで、Ｂは、サブフレームごとに構成可能であり得る。基地局は、各サブフレームの残りのシンボル期間中にＰＤＳＣＨ上でトラフィックデータ及び／又は他のデータを送信し得る。
【００５０】
[0059]上述されたように、図３Ａ及び３Ｂは、例として提供される。他の例は、図３Ａ及び３Ｂに関して説明されたものとは異なり得る。
【００５１】
[0060]図４は、通常のサイクリックプレフィックスを有する実例的なサブフレームフォーマット４１０を示す。利用可能な時間周波数リソースは、リソースブロックに区分化され得る。各リソースブロックは、１つのスロット中のサブキャリアのセット（例えば、１２個のサブキャリア）をカバーし得、いくつかのリソース要素を含み得る。各リソース要素は、（例えば、時間的に）１つのシンボル期間中に１つのサブキャリアをカバーし得、実数値又は複素数値であり得る１つの変調シンボルを送るために使用され得る。いくつかの態様では、サブフレームフォーマット４１０は、本明細書で説明されるように、ＰＳＳ、ＳＳＳ、ＰＢＣＨ、及び／又は同様のものを搬送するＳＳブロックの送信のために使用され得る。
【００５２】
[0061]インターレース構造は、ある特定の電気通信システム（例えば、ＮＲ）中のＦＤＤのためのダウンリンク及びアップリンクの各々のために使用され得る。例えば、０〜Ｑ−１のインデックスを有するＱ個のインターレースが定義され得、ここで、Ｑは、４、６、８、１０、又は何らかの他の値に等しくなり得る。各インターレースは、Ｑ個のフレームによって離間されたサブフレームを含み得る。特に、インターレースｑは、サブフレームｑ、ｑ＋Ｑ、ｑ＋２Ｑ、等を含み得、ここで、ｑ∈｛０，．．．，Ｑ−１｝である。
【００５３】
[0062]ある１つのＵＥが、複数のＢＳのカバレッジ内にロケートされ得る。そのＵＥをサービングするために、これらのＢＳのうちの１つが選択され得る。サービングＢＳは、受信信号強度、受信信号品質、経路損失、及び／又は同様のものなどの様々な基準に少なくとも部分的に基づいて選択され得る。受信信号品質は、信号対雑音及び干渉比（ＳＩＮＲ）、又は基準信号受信品質（ＲＳＲＱ）、又は何らかの他のメトリックによって定量化され得る。ＵＥは、そのＵＥが１つ又は複数の干渉するＢＳからの高い干渉を観測し得る支配的な干渉シナリオにおいて動作し得る。
【００５４】
[0063]本明細書で説明される例の態様は、ＮＲ又は５Ｇ技術に関連付けられ得るが、本開示の態様は、他のワイヤレス通信システムに適用可能であり得る。ニューラジオ（ＮＲ）は、新しいエアインターフェース（例えば、直交周波数分割多元接続（ＯＦＤＭＡ）ベースのエアインターフェース以外）又は固定トランスポートレイヤ（例えば、インターネットプロトコル（ＩＰ）以外）に従って動作するように構成された無線を指し得る。態様では、ＮＲは、アップリンク上でＣＰを有するＯＦＤＭ（本明細書ではサイクリックプレフィックスＯＦＤＭ又はＣＰ−ＯＦＤＭと呼ばれる）及び／又はＳＣ−ＦＤＭを利用し得、ダウンリンク上でＣＰ−ＯＦＤＭを利用し得、ＴＤＤを使用する半複信動作のためのサポートを含み得る。態様では、ＮＲは、例えば、アップリンク上でＣＰを有するＯＦＤＭ（本明細書ではＣＰ−ＯＦＤＭと呼ばれる）及び／又は離散フーリエ変換拡散直交周波数分割多重化（ＤＦＴ−ｓ−ＯＦＤＭ）を利用し得、ダウンリンク上でＣＰ−ＯＦＤＭを利用し得、ＴＤＤを使用する半複信動作のためのサポートを含み得る。ＮＲは、広帯域幅（例えば、８０メガヘルツ（ＭＨｚ）及びそれを超える）をターゲットとする拡張モバイルブロードバンド（ｅＭＢＢ）サービス、高キャリア周波数（例えば、６０ギガヘルツ（ＧＨｚ））をターゲットとするミリメートル波（ｍｍＷ）、非後方互換ＭＴＣ技法をターゲットとする大規模ＭＴＣ（ｍＭＴＣ）、及び／又は超高信頼低レイテンシ通信（ＵＲＬＬＣ）サービスをターゲットとするミッションクリティカルを含み得る。
【００５５】
[0064]いくつかの態様では、１００ＭＨｚの単一のコンポーネントキャリア帯域幅がサポートされ得る。ＮＲのリソースブロックは、０．１ミリ秒（ｍｓ）の持続時間にわたって６０又は１２０キロヘルツ（ｋＨｚ）のサブキャリア帯域幅を有する１２個のサブキャリアにまたがり得る。各無線フレームは、１０ｍｓの長さを有する４０個のサブフレームを含み得る。その結果として、各サブフレームは、０．２５ｍｓの長さを有し得る。各サブフレームは、データ送信のためのリンク方向（例えば、ＤＬ又はＵＬ）を示し得、各サブフレームのためのリンク方向は、動的に切り替えられ得る。各サブフレームは、ＤＬ／ＵＬデータ並びにＤＬ／ＵＬ制御データを含み得る。
【００５６】
[0065]ビームフォーミングがサポートされ得、ビーム方向が動的に構成され得る。プリコーディングを伴うＭＩＭＯ送信もまたサポートされ得る。ＤＬにおけるＭＩＭＯ構成は、最大８つのストリーム及びＵＥごとに最大２つのストリームのマルチレイヤＤＬ送信を伴う最大８つの送信アンテナをサポートし得る。ＵＥごとに最大２つのストリームを伴うマルチレイヤ送信がサポートされ得る。複数のセルのアグリゲーションが、最大８つのサービングセルを伴ってサポートされ得る。代替として、ＮＲは、ＯＦＤＭベースのインターフェース以外の異なるエアインターフェースをサポートし得る。ＮＲネットワークは、中央ユニット又は分散型ユニットなどのエンティティを含み得る。
【００５７】
[0066]上述されたように、図４は、例として提供される。他の例は、図４に関して説明されたものとは異なり得る。
【００５８】
[0067]図５は、本開示の態様による、分散型ＲＡＮ５００の実例的な論理アーキテクチャを例示する。５Ｇアクセスノード５０６は、アクセスノードコントローラ（ＡＮＣ）５０２を含み得る。ＡＮＣは、分散型ＲＡＮ５００の集中型ユニット（ＣＵ）であり得る。次世代コアネットワーク（ＮＧ−ＣＮ）５０４へのバックホールインターフェースは、ＡＮＣにおいて終端し得る。近隣の次世代アクセスノード（ＮＧ−ＡＮ）へのバックホールインターフェースは、ＡＮＣにおいて終端し得る。ＡＮＣは、１つ又は複数のＴＲＰ５０８を含み得る（それはまた、ＢＳ、ＮＲ ＢＳ、ノードＢ、５Ｇ ＮＢ、ＡＰ、ｇＮＢ、又は何らかの他の用語で呼ばれ得る）。上述されたように、ＴＲＰは、「セル」と交換可能に使用され得る。
【００５９】
[0068]ＴＲＰ５０８は、分散型ユニット（ＤＵ）であり得る。ＴＲＰは、１つのＡＮＣ（ＡＮＣ５０２）又は１つよりも多くのＡＮＣ（例示せず）に接続され得る。例えば、ＲＡＮ共有、サービスとしての無線（ＲａａＳ：radio as a service）、及びサービス固有ＡＮＤ展開（service specific AND deployments）のために、ＴＲＰは、１つよりも多くのＡＮＣに接続され得る。ＴＲＰは、１つ又は複数のアンテナポートを含み得る。ＴＲＰは、ＵＥにトラフィックを個々に（例えば、動的選択）又は共同で（例えば、共同送信）サービングするように構成され得る。
【００６０】
[0069]ＲＡＮのローカルアーキテクチャ５００は、フロントホール定義（fronthaul definition）を例示するために使用され得る。異なる展開タイプにわたってフロントホーリングソリューション（fronthauling solutions）をサポートするようにアーキテクチャが定義され得る。例えば、アーキテクチャは、送信ネットワーク能力（例えば、帯域幅、レイテンシ、及び／又はジッタ）に少なくとも部分的に基づき得る。
【００６１】
[0070]アーキテクチャは、ＬＴＥと特徴及び／又はコンポーネントを共有し得る。態様によると、次世代ＡＮ（ＮＧ−ＡＮ）５１０は、ＮＲとのデュアルコネクティビティをサポートし得る。ＮＧ−ＡＮは、ＬＴＥ及びＮＲについて共通のフロントホールを共有し得る。
【００６２】
[0071]アーキテクチャは、ＴＲＰ５０８の間及び中（between and among）での協働を可能にし得る。例えば、協働は、ＡＮＣ５０２を介して複数のＴＲＰにわたって及び／又は１つのＴＲＰ内で予め設定され得る。態様によると、ＴＲＰ間インターフェースは、必要とされない／存在しないことがある。
【００６３】
[0072]態様によると、分けられた論理機能（split logical functions）の動的構成が、ＲＡＮ５００のアーキテクチャ内に存在し得る。パケットデータコンバージェンスプロトコル（ＰＤＣＰ）、無線リンク制御（ＲＬＣ）、媒体アクセス制（ＭＡＣ）プロトコルは、ＡＮＣ又はＴＲＰに適応的に配置され得る。
【００６４】
[0073]様々な態様によると、ＢＳは、１つの集中型ユニット（ＣＵ）（例えば、ＡＮＣ５０２）及び／又は１つ又は複数の分散型ユニット（例えば、１つ又は複数のＴＲＰ５０８）を含み得る。
【００６５】
[0074]上述されたように、図５は、単に例として提供される。他の例は、図５に関して説明されたものとは異なり得る。
【００６６】
[0075]図６は、本開示の態様による、分散型ＲＡＮ６００の実例的な物理アーキテクチャを例示する。集中型コアネットワークユニット（Ｃ−ＣＵ：centralized core network unit）６０２は、コアネットワーク機能をホストし得る。Ｃ−ＣＵは、集中的に（centrally）展開され得る。Ｃ−ＣＵの機能は、ピーク容量を処理するために（例えば、アドバンストワイヤレスサービス（ＡＷＳ）に）オフロードされ得る。
【００６７】
[0076]集中型ＲＡＮユニット（Ｃ−ＲＵ）６０４は、１つ又は複数のＡＮＣ機能をホストし得る。オプションとして、Ｃ−ＲＵは、局所的にコアネットワーク機能をホストし得る。Ｃ−ＲＵは、分散型展開を有し得る。Ｃ−ＲＵは、ネットワークエッジにより近いことがある。
【００６８】
[0077]分散型ユニット（ＤＵ）６０６は、１つ又は複数のＴＲＰをホストし得る。ＤＵは、無線周波数（ＲＦ）機能を有するネットワークのエッジにロケートされ得る。
【００６９】
[0078]上述されたように、図６は、単に例として提供される。他の例は、図６に関して説明されたものとは異なり得る。
【００７０】
[0079]５Ｇ、ＮＲ、及び／又は同様のものなど、ある特定の通信システムでは、帯域幅部分は、ＵＥのために構成され得る。ＵＥは、ＢＳとの通信のために複数の利用可能な帯域幅部分のうちの特定の帯域幅部分を使用し得る。ＵＥは、ＢＳからダウンリンクデータを受信するかどうかを決定するために、各サブフレーム、スロット、及び／又は同様のものの中に、物理ダウンリンク制御チャネル（ＰＤＤＣＨ）などの特定の帯域幅部分中でダウンリンク制御チャネルを監視し得る。各帯域幅部分は、特定の中心周波数ロケーション、特定の帯域幅、特定のヌメロロジ、及び／又は同様のものに関連付けられ得る。ＢＳは、帯域幅部分間の遷移をトリガするために、ダウンリンク制御情報（ＤＣＩ）メッセージを送信し得る。例えば、ＢＳは、複数の帯域幅部分のうちアクティブ化されるべき帯域幅部分を識別する帯域幅部分識別子を提供するために、ＤＣＩメッセージを送信し得る。ＤＣＩメッセージによって識別された帯域幅部分が現在アクティブな帯域幅部分とは異なる場合、ＵＥは、帯域幅部分切り替えを実行するようにトリガされ得る。
【００７１】
[0080]ＢＳは、アクティブ化されるべき複数の帯域幅部分を識別するために、複数の帯域幅部分識別子を提供し得る。例えば、ＢＳは、アップリンク方向のためにアクティブ化されるべき第１の帯域幅部分を識別するための第１の帯域幅部分識別子と、ダウンリンク方向のためにアクティブ化されるべき第２の帯域幅部分を識別するための第２の帯域幅部分識別子とを提供し得る。しかしながら、複数の帯域幅部分識別子を提供することは、ネットワークリソースの過度の利用をもたらし得る。
【００７２】
[0081]結果として、ＢＳは、単一の帯域幅部分と、単一の帯域幅部分とペアにされた別の帯域幅部分とのための帯域幅部分切り替えをトリガするために、単一の帯域幅部分を識別する単一の帯域幅部分識別子を提供し得る。このケースでは、ＵＥは、単一の帯域幅部分とペアにされた他の帯域幅部分を識別し得、帯域幅部分切り替えをトリガし得る。しかしながら、いくつかのケースでは、第１の方向に関連付けられた第１の帯域幅部分は、第２の方向に関連付けられた複数の第２の帯域幅部分とペアにされ得、それは、１対複数ペアリング（又は、単一の第２の帯域幅部分とペアにされた複数の第１の帯域幅部分に関する複数対１ペアリング）と称され得る。単一の帯域幅部分識別子を提供することは、どのペアにされた帯域幅部分が識別された帯域幅部分に関連してアクティブ化されるべきかについて曖昧さをもたらし得る。
【００７３】
[0082]通信システムは、帯域幅部分アクティブ化における曖昧さを回避するために、１対複数ペアリング又は複数対１ペアリングを禁止し得る。しかしながら、ペアリング方式の禁止は、通信システムの柔軟性を制限し得る。通信システムは、帯域幅部分ペアリングテーブルを有効にし得る。このケースでは、第１の帯域幅部分及び第２の帯域幅部分は、第１のインデックス値に関連付けられ得、第１の帯域幅部分及び第３の帯域幅部分は、第２のインデックス値に関連付けられ得る。結果として、ＢＳは、アクティブ化のための帯域幅部分ペアを識別するために、帯域幅部分ペアリングテーブルのためのインデックス値を提供し得る。しかしながら、これは、帯域幅部分ペアリングテーブルインデックスを識別する及び／又は各ＵＥに帯域幅部分ペアリングテーブルを提供するために、ネットワークリソースの過度の利用をもたらし得る。
【００７４】
[0083]本明細書で説明されるいくつかの態様は、帯域幅部分の１対複数又は複数対１ペアリングなどのための帯域幅部分切り替え管理を可能にする。例えば、プライマリ帯域幅部分のための１対複数又は複数対１ペアリングを識別するために、クローンの帯域幅部分構成情報をＢＳが送信し得、ＵＥが受信し得る。このケースでは、ＵＥは、疑似帯域幅部分（pseudo-bandwidth part）とも称され得るクローンの帯域幅部分とプライマリ帯域幅部分との間にリンケージを決定し得、クローンの帯域幅部分又はプライマリ帯域幅部分を識別するシグナリングを使用して、プライマリ帯域幅部分にペアにされた第１の帯域幅部分とプライマリ帯域幅部分にペアにされた第２の帯域幅部分とを区別し得る。このように、ＢＳ及びＵＥは、１対複数ペアリング及び／又は複数対１ペアリングを可能にし、他の技法と比べて帯域幅部分切り替えシグナリングにおける曖昧さの可能性を低減し、及び／又は他の技法と比べてネットワークリソースの利用を低減する。
【００７５】
[0084]図７Ａ〜７Ｃは、本開示の様々な態様による、帯域幅部分切り替え管理の例７００を例示する図である。図７Ａに示されるように、例７００は、ＢＳ１１０及びＵＥ１２０を含む。ＢＳ１１０及びＵＥ１２０は、ダウンリンク方向の帯域幅部分Ａ及びダウンリンク方向の帯域幅部分Ｂとペアにされる（例えば、１対複数ペアリング）アップリンク方向のプライマリ帯域幅部分１に関連付けられ得る。
【００７６】
[0085]図７Ａに参照番号７１０によって更に示されるように、クローンの帯域幅部分構成情報を、ＢＳ１１０が送信し得、ＵＥ１２０が受信し得る。例えば、ＢＳ１１０は、クローンの帯域幅部分２をプライマリ帯域幅部分１の複製として構成し得る。参照番号７１５によって示されるように、ＵＥ１２０は、クローンの帯域幅部分構成情報に少なくとも部分的に基づいて、クローンの帯域幅部分２とプライマリ帯域幅部分１との間にリンケージを決定し得る。
【００７７】
[0086]例えば、第１のシナリオ７２０では、クローンの帯域幅部分構成情報は、クローンの帯域幅部分２のための構成を識別し得る。このケースでは、ＢＳ１１０は、プライマリ帯域幅部分１との共通構成に関連付けられたクローンの帯域幅部分２を構成し得る。例えば、プライマリ帯域幅部分１及びクローンの帯域幅部分２は、共通中心周波数、共通帯域幅、共通サブキャリア間隔、共通サイクリックプレフィックス長、別の構成パラメータにおける共通性、及び／又は同様のものに関連付けられ得る。このケースでは、ＵＥ１２０は、プライマリ帯域幅部分１、クローンの帯域幅部分２、帯域幅部分Ａ、帯域幅部分Ｂ、及び／又は同様のものに関連付けられた構成情報を比較し得、プライマリ帯域幅部分１及びクローンの帯域幅部分２が共通構成に関連付けられると決定し得る。ＵＥ１２０は、帯域幅部分１をプライマリ帯域幅部分Ａとペアにし得、クローンの帯域幅部分２を帯域幅部分Ｂとペアにし得る。このように、ＵＥ１２０は、複製されたプライマリ帯域幅部分１及びクローンの帯域幅部分２を使用して、１対複数ペアリングを１対１ペアリングに変換する。
【００７８】
[0087]加えて又は代替として、第２のシナリオ７２５では、クローンの帯域幅部分構成情報は、プライマリ帯域幅部分１へのポインタを識別し得る。このケースでは、ＢＳ１１０は、帯域幅部分２を帯域幅部分１の独立しているが複製の帯域幅部分として構成するのではなく、クローンの帯域幅部分２を識別し、クローンの帯域幅部分２がプライマリ帯域幅部分１へのポインタになることを示す情報を提供し得る。言い換えれば、ポインタは、アップリンクにおけるクローンの帯域幅部分２又はダウンリンクにおける帯域幅部分Ｂを識別するＤＣＩメッセージが、ダウンリンクにおける帯域幅部分Ｂ及びアップリンクにおけるプライマリ帯域幅部分１を示すことになることを示し得る。このように、ＢＳ１１０は、第１のシナリオと比べて、ＵＥ１２０にクローンの帯域幅部分構成情報を提供するために使用されるネットワークリソースの量を低減する。
【００７９】
[0088]いくつかの態様では、ＢＳ１１０は、帯域幅部分１の複製の帯域幅部分としてクローンの帯域幅部分２を構成するための情報を提供し得、ＵＥ１２０は、複製の帯域幅部分を構成するのではなく、帯域幅部分１へのポインタを記憶することを決定し得る。例えば、ＵＥ１２０は、クローンの帯域幅部分２についての構成情報に少なくとも部分的に基づいて、クローンの帯域幅部分２が帯域幅部分１の複製であると決定し得る。このケースでは、ＵＥ１２０は、プライマリ帯域幅部分１へのクローンの帯域幅部分２の識別子のためのポインタを記憶することを決定し得、それによって、クローンの帯域幅部分２のための構成情報（例えば、帯域幅情報、中心周波数情、及び／又は同様のもの）を記憶することと比べて、メモリリソースの利用を低減する。
【００８０】
[0089]図７Ｂに参照番号７３０及び７３５によって示されるように、第１のシナリオ７２０では、ＢＳ１１０は、帯域幅部分を識別するＤＣＩメッセージを送信し得、ＵＥ１２０は、（例えば、アップリンク帯域幅部分、ダウンリンク帯域幅部分、アップリンク帯域幅部分とダウンリンク帯域幅部分との組み合わせ、及び／又は同様のものの）帯域幅部分切り替えを実行することを決定し得る。例えば、ＢＳ１１０は、プライマリ帯域幅部分１及び帯域幅部分Ｂをアクティブ化することを決定し得、クローンの帯域幅部分２（又は帯域幅部分Ｂ）を識別するＤＣＩメッセージを送信し得る。参照番号７４０によって示されるように、アップリンク方向の帯域幅部分３がアクティブ化され、ダウンリンク方向の帯域幅部分Ｃがアクティブ化され、ＤＣＩメッセージは、クローンの帯域幅部分２（又は帯域幅部分Ｂ）を識別する。このケースでは、ＤＣＩメッセージは、帯域幅部分３からクローンの帯域幅部分２への、及び帯域幅部分Ｃから帯域幅部分Ｂへの切り替えを引き起こすことになる。ＤＣＩメッセージを受信することに少なくとも部分的に基づいて、ＵＥ１２０は、クローンの帯域幅部分２及び帯域幅部分Ｂをアクティブ化する。このように、（例えば、共通帯域幅、中心周波数、ヌメロロジ、及び／又は同様のものに関連付けられている）帯域幅部分１に対応するクローンの帯域幅部分２に少なくとも部分的に基づいて、ＵＥ１２０は、プライマリ帯域幅部分１と帯域幅部分Ｂとの構成されたペアリングを正しくアクティブ化する。
【００８１】
[0090]別の例として、ＢＳ１１０は、プライマリ帯域幅部分１及び帯域幅部分Ａをアクティブ化することを決定し得、プライマリ帯域幅部分１（又は帯域幅部分Ａ）を識別するＤＣＩメッセージを送信し得る。参照番号７４５によって示されるように、帯域幅部分３がアクティブ化され、帯域幅部分Ｃがアクティブ化され、ＤＣＩメッセージがプライマリ帯域幅部分１（又は帯域幅部分Ａ）を識別するとき、ＵＥ１２０は、帯域幅部分１及び帯域幅部分Ａをアクティブ化する。このように、（例えば、帯域幅部分Ａと帯域幅部分Ｂとの両方に１対複数ペアにされるのではなく）プライマリ帯域幅部分１がシグナリングに関して帯域幅部分Ａのみにペアにされることに少なくとも部分的に基づいて、ＵＥ１２０は、プライマリ帯域幅部分１と帯域幅部分Ａとの構成されたペアリングを正しくアクティブ化する。
【００８２】
[0091]別の例として、ＢＳ１１０は、プライマリ帯域幅部分１及び帯域幅部分Ａをアクティブ化することを決定し得、帯域幅部分１（又は帯域幅部分Ａ）を識別するＤＣＩメッセージを送信し得る。参照番号７５０によって示されるように、クローンの帯域幅部分２がアクティブ化され、帯域幅部分Ｂがアクティブ化され、ＤＣＩメッセージがプライマリ帯域幅部分１（又は帯域幅部分Ａ）を識別するとき、ＵＥ１２０は、帯域幅部分Ａをアクティブ化する。クローンの帯域幅部分２がプライマリ帯域幅部分１に対応するとＵＥ１２０が決定することに少なくとも部分的に基づいて、ＵＥ１２０は、（既にアクティブ化されているクローンの帯域幅部分２を介して）ＵＥ１２０が既にプライマリ帯域幅部分１を使用しているので、アップリンク方向のアクティブ化を変更する必要はない。
【００８３】
[0092]本明細書で説明されるいくつかの態様は、単一のアップリンク帯域幅部分と複数のダウンリンク帯域幅部分との１対複数ペアリングに関して説明されるが、本明細書で説明される態様はまた、複数のアップリンク帯域幅部分とペアにされた単一のダウンリンク帯域幅部分のための複数対１ペアリングのために使用され得る。加えて又は代替として、本明細書で説明されるいくつかの態様は、（例えば、帯域幅部分Ａ又は帯域幅部分Ｂへの変更を示すために帯域幅部分１又は帯域幅部分２を識別する）アップリンク帯域幅部分の識別子をシグナリングすることに関して説明されるが、本明細書で説明されるいくつかの態様は、（例えば、帯域幅部分１又は帯域幅部分２への変更を識別するために帯域幅部分Ａ又は帯域幅部分Ｂを識別する）ダウンリンク帯域幅部分の識別子のシグナリングを使用し得る。
【００８４】
[0093]図７Ｃに参照番号７５５及び７６０によって示されるように、第２のシナリオ７２５では、ＢＳ１１０は、帯域幅部分を識別するＤＣＩメッセージを送信し得、ＵＥ１２０は、帯域幅部分切り替えを実行することを決定し得る。例えば、ＢＳ１１０は、プライマリ帯域幅部分１及び帯域幅部分Ｂをアクティブ化することを決定し得、クローンの帯域幅部分２を識別するＤＣＩメッセージを送信し得る。参照番号７６５によって示されるように、アップリンク方向の帯域幅部分３がアクティブ化され、ダウンリンク方向の帯域幅部分Ｃがアクティブ化され、ＤＣＩメッセージがクローンの帯域幅部分２を識別するとき、ＵＥ１２０は、帯域幅部分Ｂをアクティブ化し、クローンの帯域幅部分２からプライマリ帯域幅部分１へのポインタに従う（例えば、ポインタは、クローンの帯域幅部分２の識別子がプライマリ帯域幅部分１を識別することになることを示す）。このケースでは、ＵＥ１２０は、帯域幅部分Ｂを用いてプライマリ帯域幅部分１をアクティブ化する。このように、クローンの帯域幅部分２がプライマリ帯域幅部分１へのポインタであることに少なくとも部分的に基づいて、ＵＥ１２０は、プライマリ帯域幅部分１と帯域幅部分Ｂとの構成されたペアリングを正しくアクティブ化する。
【００８５】
[0094]別の例として、ＢＳ１１０は、プライマリ帯域幅部分１及び帯域幅部分Ａをアクティブ化することを決定し得、プライマリ帯域幅部分１を識別するＤＣＩメッセージを送信し得る。参照番号７７０によって示されるように、帯域幅部分３がアクティブ化され、帯域幅部分Ｃがアクティブ化され、ＤＣＩメッセージがプライマリ帯域幅部分１を識別するとき、ＵＥ１２０は、プライマリ帯域幅部分１及び帯域幅部分Ａをアクティブ化する。このように、（例えば、帯域幅部分Ａと帯域幅部分Ｂとの両方に１対複数ペアにされるのではなく）プライマリ帯域幅部分１がシグナリングに関して帯域幅部分Ａのみにペアにされることに少なくとも部分的に基づいて、ＵＥ１２０は、プライマリ帯域幅部分１と帯域幅部分Ａとのペアリングを正しくアクティブ化する。
【００８６】
[0095]別の例として、ＢＳ１１０は、プライマリ帯域幅部分１及び帯域幅部分Ｂをアクティブ化することを決定し得、クローンの帯域幅部分２を識別するＤＣＩメッセージを送信し得る。このケースでは、帯域幅部分１がアクティブ化され、帯域幅部分Ａがアクティブ化され、ＤＣＩメッセージがクローンの帯域幅部分２を識別するとき、ＵＥ１２０は、帯域幅部分Ｂをアクティブ化する。クローンの帯域幅部分２がプライマリ帯域幅部分１へのポインタであるとＵＥ１２０が決定することに少なくとも部分的に基づいて、ＵＥ１２０は、ＵＥ１２０が既にプライマリ帯域幅部分１を使用しているので、アップリンク方向のアクティブ化を変更する必要はない。
【００８７】
[0096]このように、帯域幅部分識別子メッセージを使用してシグナリングされるとき、帯域幅部分の構成されたセットからのダウンリンク帯域幅部分は、共通のインデックス値を有するダウンリンク帯域幅部分及びアップリンク帯域幅部分に少なくとも部分的に基づいて、帯域幅部分の構成されたセットのアップリンク帯域幅部分とペアにされ得る。
【００８８】
[0097]上述されたように、図７Ａ〜７Ｃは、例として提供される。他の例は、図７Ａ〜７Ｃに関して説明されたものとは異なり得る。
【００８９】
[0098]図８は、本開示の様々な態様による、例えば、ＢＳによって実行される実例的なプロセス８００を例示する図である。実例的なプロセス８００は、ＢＳ（例えば、ＢＳ１１０）が帯域幅部分切り替え管理を実行する例である。
【００９０】
[0099]図８に示されるように、いくつかの態様では、プロセス８００は、プライマリ帯域幅部分のクローンの帯域幅部分についてのクローンの帯域幅部分構成情報を送信することを含み得る（ブロック８１０）。例えば、ＢＳは、より詳細に上述されたように、プライマリ帯域幅部分のクローンの帯域幅部分についてのクローンの帯域幅部分構成情報を（例えば、送信プロセッサ２２０、ＴＸ ＭＩＭＯプロセッサ２３０、変調器２３２、アンテナ２３４、及び／又は同様のものを使用して）送信し得る。いくつかの態様では、クローンの帯域幅部分は、第１の方向に関連付けられ、プライマリ帯域幅部分に対応する。いくつかの態様では、プライマリ帯域幅部分は、第２の方向の第１の帯域幅部分及び第２の方向の第２の帯域幅部分とペアになる。
【００９１】
[00100]図８に示されるように、いくつかの態様では、プロセス８００は、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを送信することを含み得る（ブロック８２０）。例えば、ＢＳは、より詳細に上述されたように、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを（例えば、送信プロセッサ２２０、ＴＸ ＭＩＭＯプロセッサ２３０、変調器２３２、アンテナ２３４、及び／又は同様のものを使用して）送信し得る。
【００９２】
[00101]プロセス８００は、以下に説明される態様のうちの任意の単一の態様及び／又は任意の組み合わせなど、及び／又は本明細書の他の箇所で説明される１つ又は複数の他のプロセスに関連して、追加の態様を含み得る。
【００９３】
[00102]いくつかの態様では、クローンの帯域幅部分は、プライマリ帯域幅部分のクローンの帯域幅部分である。いくつかの態様では、クローンの帯域幅部分構成情報は、プライマリ帯域幅部分についての構成情報に対応する。いくつかの態様では、ＢＳは、無線リソース制御シグナリングを使用してクローンの帯域幅部分構成情報を送信するように構成される。いくつかの態様では、ＢＳは、ＵＥがプライマリ帯域幅部分とクローンの帯域幅部分との間にリンケージを決定することを可能にするために、ＵＥにクローンの帯域幅部分構成情報を送信するように構成される。
【００９４】
[00103]いくつかの態様では、ＢＳは、ＵＥにプライマリ帯域幅部分とクローンの帯域幅部分との間のポインタとしてリンケージを記憶させるために、クローンの帯域幅部分構成を送信するように構成される。いくつかの態様では、ＢＳは、第１の方向についてではなく第２の方向について帯域幅部分切り替えを引き起こすために、ダウンリンク制御情報メッセージを送信するように構成される。いくつかの態様では、クローンの帯域幅部分は、プライマリ帯域幅部分へのポインタであり、ＢＳは、プライマリ帯域幅部分へのポインタを識別するために、クローンの帯域幅部分構成情報を送信するように構成される。いくつかの態様では、ＢＳは、プライマリ帯域幅部分を識別するために、ダウンリンク制御情報メッセージを送信するように構成される。
【００９５】
[00104]いくつかの態様では、ＢＳは、クローンの帯域幅部分を識別するために、ダウンリンク制御情報メッセージを送信するように構成される。いくつかの態様では、第１の方向は、アップリンク通信に関連付けられ、第２の方向は、ダウンリンク通信に関連付けられる。いくつかの態様では、第１の方向は、ダウンリンク通信に関連付けられ、第２の方向は、アップリンク通信に関連付けられる。
【００９６】
[00105]図８はプロセス８００の実例的なブロックを示すが、いくつかの態様では、プロセス８００は、追加のブロック、より少ないブロック、異なるブロック、又は図８に図示されるものとは異なって配置されたブロックを含み得る。加えて又は代替として、プロセス８００のブロックのうちの２つ以上が並列に実行され得る。
【００９７】
[00106]図９は、本開示の様々な態様による、例えば、ＵＥによって実行される実例的なプロセス９００を例示する図である。実例的なプロセス９００は、ＵＥ（例えば、ＵＥ１２０）が帯域幅部分切り替え管理を実行する例である。
【００９８】
[00107]図９に示されるように、いくつかの態様では、プロセス９００は、プライマリ帯域幅部分のクローンの帯域幅部分についてのクローンの帯域幅部分構成情報を受信することを含み得る（ブロック９１０）。例えば、ＵＥは、より詳細に上述されたように、プライマリ帯域幅部分のクローンの帯域幅部分についてのクローンの帯域幅部分構成情報を（例えば、アンテナ２５２、復調器２５４、ＭＩＭＯ検出器２５６、受信機プロセッサ２５８、及び／又は同様のものを使用して）受信し得る。いくつかの態様では、クローンの帯域幅部分は、第１の方向に関連付けられ、プライマリ帯域幅部分に対応する。いくつかの態様では、プライマリ帯域幅部分は、第２の方向の第１の帯域幅部分及び第２の方向の第２の帯域幅部分とペアになる。
【００９９】
[00108]図９に示されるように、いくつかの態様では、プロセス９００は、クローンの帯域幅部分構成情報に少なくとも部分的に基づいて、プライマリ帯域幅部分とクローンの帯域幅部分との間にリンケージを決定することを含み得る（ブロック９２０）。例えば、ＵＥは、より詳細に上述されたように、クローンの帯域幅部分構成情報に少なくとも部分的に基づいて、プライマリ帯域幅部分とクローンの帯域幅部分との間にリンケージを（例えば、受信機プロセッサ２５８、コントローラ／プロセッサ２８０、送信プロセッサ２６４、及び／又は同様のものを使用して）決定し得る。
【０１００】
[00109]図９に示されるように、いくつかの態様では、プロセッサ９００は、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを受信することを含み得る（ブロック９３０）。例えば、ＵＥは、より詳細に上述されたように、プライマリ帯域幅部分及び第１の帯域幅部分のための帯域幅部分切り替えをシグナリングするためにプライマリ帯域幅部分を識別する又はプライマリ帯域幅部分及び第２の帯域幅部分のための帯域幅部分切り替えをシグナリングするためにクローンの帯域幅部分を識別するダウンリンク制御情報メッセージを（例えば、アンテナ２５２、復調器２５４、ＭＩＭＯ検出器２５６、受信機プロセッサ２５８、及び／又は同様のものを使用して）受信し得る。
【０１０１】
[00110]図９に示されるように、いくつかの態様では、プロセス９００は、ダウンリンク制御情報メッセージに少なくとも部分的に基づいて帯域幅部分切り替えを実行することを含み得る（ブロック９４０）。例えば、ＵＥは、より詳細に上述されたように、ダウンリンク制御情報メッセージに少なくとも部分的に基づいて、帯域幅部分切り替えを（例えば、アンテナ２５２、復調器２５４、ＭＩＭＯ検出器２５６、受信機プロセッサ２５８、コントローラ／プロセッサ２８０、送信プロセッサ２６４、ＴＸ ＭＩＭＯプロセッサ２６６、変調器２５４、及び／又は同様のものを使用して）実行し得る。
【０１０２】
[00111]プロセス９００は、以下に説明される態様のうちの任意の単一の態様及び／又は任意の組み合わせなど、及び／又は本明細書の他の箇所で説明される１つ又は複数の他のプロセスに関連して、追加の態様を含み得る。
【０１０３】
[00112]いくつかの態様では、クローンの帯域幅部分は、プライマリ帯域幅部分のクローンの帯域幅部分である。いくつかの態様では、クローンの帯域幅部分構成情報は、プライマリ帯域幅部分についての構成情報に対応する。いくつかの態様では、ＵＥは、無線リソース制御シグナリングを使用してクローンの帯域幅部分構成情報を受信するように構成される。
【０１０４】
[00113]いくつかの態様では、ＵＥは、プライマリ帯域幅部分とクローンの帯域幅部分との間のポインタとしてリンケージを記憶するように構成される。いくつかの態様では、ＵＥは、第１の方向についてではなく第２の方向について帯域幅部分切り替えを実行するように構成される。いくつかの態様では、クローンの帯域幅部分は、プライマリ帯域幅部分へのポインタであり、ＵＥは、クローンの帯域幅部分構成情報に少なくとも部分的に基づいて、プライマリ帯域幅部分へのポインタを識別するように構成される。いくつかの態様では、ダウンリンク制御情報メッセージは、プライマリ帯域幅部分を識別し、ＵＥは、プライマリ帯域幅部分及び第１の帯域幅部分のための帯域幅部分切り替えを実行するように構成される。
【０１０５】
[00114]いくつかの態様では、ダウンリンク制御情報メッセージは、クローンの帯域幅部分を識別し、ＵＥは、プライマリ帯域幅部分及び第２の帯域幅部分のための帯域幅部分切り替えを実行するように構成される。いくつかの態様では、第１の方向は、アップリンク通信に関連付けられ、第２の方向は、ダウンリンク通信に関連付けられる。いくつかの態様では、第１の方向は、ダウンリンク通信に関連付けられ、第２の方向は、アップリンク通信に関連付けられる。
【０１０６】
[00115]図９はプロセス９００の実例的なブロックを示すが、いくつかの態様では、プロセス９００は、追加のブロック、より少ないブロック、異なるブロック、又は図９に図示されるものとは異なって配置されたブロックを含み得る。加えて又は代替として、プロセス９００のブロックのうちの２つ以上が並列に実行され得る。
【０１０７】
[00116]前述の開示は、例示及び説明を提供するが、網羅的であること、又は開示された厳密な形態に態様を限定することを意図されない。修正及び変形は、上記の開示に照らして行われ得るか、又は態様の実施から取得され得る。
【０１０８】
[00117]本明細書で使用される場合、「コンポーネント」という用語は、ハードウェア、ファームウェア、又はハードウェアとソフトウェアとの組み合わせとして広く解釈されることを意図される。本明細書で使用される場合、「プロセッサ」は、ハードウェア、ファームウェア、及び／又はハードウェアとソフトウェアとの組み合わせでインプリメントされる。
【０１０９】
[00118]本明細書で説明されたシステム及び／又は方法が、ハードウェア、ファームウェア、及び／又はハードウェアとソフトウェアとの組み合わせの異なる形態でインプリメントされ得ることは明らかであろう。これらのシステム及び／又は方法をインプリメントするために使用される実際の専用制御ハードウェア又はソフトウェアコードは、態様を限定しない。このことから、システム及び／又は方法の動作及び挙動は、特定のソフトウェアコードを参照することなく本明細書で説明されたが、ソフトウェア及びハードウェアは、本明細書の説明に少なくとも部分的に基づいてシステム及び／又は方法をインプリメントするように設計されることができることが理解される。
【０１１０】
[00119]特徴の特定の組み合わせが特許請求の範囲に記載及び／又は本明細書に開示されているが、これらの組み合わせは、可能な態様の開示を限定することを意図されない。実際、これらの特徴の多くは、特許請求の範囲に具体的に記載されていない及び／又は本明細書に開示されていない方法で組み合わされ得る。以下にリストされる各従属請求項は、１つの請求項のみに直接従属し得るが、可能な態様の開示は、各従属請求項を、請求項セット中の全ての他の請求項と組み合わせて含む。項目のリスト「のうちの少なくとも１つ」を指すフレーズは、単一のメンバを含む、それらの項目のうちの任意の組み合わせを指す。例として、「ａ、ｂ、又はｃのうちの少なくとも１つ」は、ａ、ｂ、ｃ、ａ−ｂ、ａ−ｃ、ｂ−ｃ、及びａ−ｂ−ｃ、並びに複数の同じ要素を有する任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、及びｃ−ｃ−ｃ、又はａ、ｂ、及びｃの任意の他の順序）をカバーすることを意図される。
【０１１１】
[00120]本明細書で使用される要素、動作、又は命令は、そのように明示的に説明されない限り、重要又は不可欠であると解釈されるべきではない。また、本明細書で使用される場合、冠詞「ａ」及び「ａｎ」は、１つ又は複数の項目を含むことを意図され、「１つ又は複数」と交換可能に使用され得る。更に、本明細書で使用される場合、「セット」及び「グループ」という用語は、１つ又は複数の項目（例えば、関連項目、非関連項目、関連項目と非関連項目との組み合わせ、及び／又は同様のもの）を含むことを意図され、「１つ又は複数」と交換可能に使用され得る。１つの項目のみが意図される場合、「１つのみ」という用語又は同様の文言が使用される。また、本明細書で使用される場合、「有する（has）」、「有する（have）」、「有する（having）」という用語、及び／又は同様のものは、オープンエンドの用語であることを意図される。更に、「に基づいて」というフレーズは、別途明示的に記載されない限り、「に少なくとも部分的に基づいて」を意味することを意図される。
【図１】
2021507647.tif 000003
【図２】
2021507647.tif 000004
【図３Ａ】
2021507647.tif 000005
【図３Ｂ】
2021507647.tif 000006
【図４】
2021507647.tif 000007
【図５】
2021507647.tif 000008
【図６】
2021507647.tif 000009
【図７Ａ】
2021507647.tif 000010
【図７Ｂ】
2021507647.tif 000011
【図７Ｃ】
2021507647.tif 000012
【図８】
2021507647.tif 000013
【図９】
2021507647.tif 000014
【国際調査報告】
2021507647.tif 000015
2021507647.tif 000016
2021507647.tif 000017
2021507647.tif 000018
2021507647.tif 000019